(57)【特許請求の範囲】
【請求項１】
遊技盤が装着された枠体と、
遊技盤の正面側に該遊技盤の盤面に対応する開口窓を形成し、前記枠体に対し前後の開閉ができるよう支持された窓枠部材と、
前記窓枠部材と前記遊技盤の間で前記窓枠部材の開口窓を塞ぐ透明板と、
前記透明板を着脱可能に案内および支持する透明板取付け枠と、を備えた遊技機において、
前記枠体から前記透明板の上部に近接するよう正面側に突出した突起部を設ける一方、
前記透明板取付け枠を上側が開いたコの字形に形成して、該透明板取付け枠に前記透明板を上方から挿入および取出し可能にして、
前記窓枠部材が閉じたとき、前記透明板の上方向への移動を前記突起部により規制し、前記透明板を前記枠体に対して固定するようにしたことを特徴とする遊技機。
【請求項２】
前記窓枠部材に前記開口窓の周辺に位置する電飾表示部を設けるとともに、
前記電飾表示部の裏面側に位置する複数の発光素子を有し該発光素子により前記電飾表示部の表示を行うよう前記窓枠部材に支持された電飾表示基板と、前記窓枠部材に支持され、前記電飾表示基板と前記透明板との間で前記電飾表示基板の裏面を被蔽する電気絶縁性のカバー部材とを、それぞれ設けて、
該カバー部材により前記透明板取付け枠の一部を構成するよう両者を一体的に連結したことを特徴とする請求項１に記載の遊技機。
【請求項３】
前記電飾表示基板が複数の分割基板からなり、
該複数の分割基板が、前記窓枠部材の開口窓の周りに該周方向に離間する複数の発光素子ブロックを形成するとともに互いに電気接続されたことを特徴とする請求項２に記載の遊技機。
【請求項４】
前記窓枠部材が閉じるときに前記枠体に接近し窓枠部材が開いたときに前記枠体から離隔するよう前記窓枠部材に支持され、該窓枠部材の開閉状態を検出する窓開閉検出センサを設けたことを特徴とする請求項１〜３のいずれかに記載の遊技機。
【請求項５】
前記窓枠部材の下方に、遊技の結果に応じて払い出された遊技球を受け入れる球受け皿を備え、
前記窓枠部材の下辺部に、該窓枠部材の正面側から裏面側に向かって下方に下がるように傾斜した傾斜面を形成したことを特徴とする請求項１〜４のいずれかに記載の遊技機。
【発明の詳細な説明】
【０００１】
【発明の属する技術分野】
本発明は、遊技領域の正面側に窓を形成する開閉式の窓枠を備えた遊技機、例えばパチンコ機等の弾球遊技機に関する。
【０００２】
【従来の技術】
従来、パチンコ機等の弾球遊技機においては、遊技盤の正面側に円形開口窓を形成する窓枠部材を設け、その開口窓を遊技盤側からガラス板等の透明板により塞いで、透明な窓が構成されている。
【０００３】
また、窓枠部材をその左端部に設けたヒンジ機構を介して枠体に取り付けて、前後方向に開閉可能にするとともに、前記窓を二重のガラス窓構造とすることにより、内側の透明板が遊技盤側に当って割られた場合等に遊技者を保護し、あるいは正面側の透明板を遊技盤からある程度離隔させて、遊技球の流下経路が外部からの電気的・磁気的な操作力で不正に操作されるのを防止するようになっている。
【０００４】
この種の遊技機としては、例えば特開平７―２１３７２１号公報に記載されたものがある。この遊技機では、枠体に開閉可能に取り付けられた窓枠部材の裏面側に円形開口窓の周縁部に沿って湾曲した一対の円弧状の取付け枠を設け、両取り付け枠を窓枠部材の裏側で開閉可能に回動させて、保持枠付きの円形ガラス窓を窓枠部材に着脱できるようにしている。この場合、窓枠部材の正面側にはＬＥＤカバーで覆われた、電気的装飾表示（以下、電飾表示という）を行うための電飾表示部が設けられており、その電気基板はＬＥＤカバーと窓枠部材の間に取り付けられている。さらに、窓枠部材の裏面側には電飾表示部の裏側に位置する補強板が設けられており、前記円形ガラス窓の支持部に一定の強度が確保されている。
【０００５】
また、特開平８−１７３６１１号公報には、前方側の窓枠部材に円形開口を形成するとともに、後方側の透明板保持枠にガラス窓を取り付け、更に、複数のＬＥＤを装着した環状の電飾基板を前方側の窓枠部材に嵌め付けて、前方側の窓枠部材と後方側の透明板保持枠との間に位置させ、これらを重ね合わせた状態で枠体に取り付けるようにしたのもが記載されている。
【０００６】
【発明が解決しようとする課題】
しかしながら、上記従来の遊技機にあっては、ガラス板等の透明板を円形や四角形の保持枠に嵌め込んだユニットを枠体側に支持させる構成となっていたため、ガラス板等の透明板を外す場合には保持枠ごと枠体から取り外す必要があった。しかも、透明板の取付け枠の四方のうち上方又は一側方を開放して、コの字形のガイド枠構造にしたとしても、開いている残りの一方をガラス板装着後に閉蓋部材により閉じてガラス板を外部から動かせないように固定していたため、透明板の取り外し作業が非常に困難であった。
【０００７】
また、保持枠を樹脂により形成したとしても、ガラス板等の透明板と保持枠を一体成形することは実用上困難であるため、透明板を保持枠に取り付ける作業が容易でなかった。
【０００８】
さらに、電飾基板が窓枠部材の正面側に取り付けられるものでは、窓枠部材に配線用のスリットをつけながら、その部分を複数の補強板を重ね止めして所要の窓枠剛性を確保するといった構成となるため、部品点数が多くなるばかりか、組み立て工数がかさむという問題があった。また、開口窓を取り囲む大型の電飾基板形状となるものでは、部品の取扱いが容易でないのに加えて不良になり易い電気基板が大型化するため、製造コストが高くなるばかりか、電飾基板の固定部位を多くするか絶縁板を別設するかしなければ、電飾基板と窓枠との絶縁状態を確保するのが困難であるという問題があった。
【０００９】
そこで本発明は、透明板の着脱作業が容易で、かつ構成の簡素な開閉窓構造を有する遊技機を提供するものである。
【００１０】
【課題を解決するための手段】
上記課題を解決するため、本発明は、遊技盤が装着された枠体と、遊技盤の正面側に該遊技盤の盤面に対応する開口窓を形成し、前記枠体に対し前後の開閉ができるよう支持された窓枠部材と、前記窓枠部材と前記遊技盤の間で前記窓枠部材の開口窓を塞ぐ透明板と、前記透明板を着脱可能に案内および支持する透明板取付け枠と、を備えた遊技機において、前記枠体から前記透明板の上部に近接するよう正面側に突出した突起部を設ける一方、前記透明板取付け枠を上側が開いたコの字形に形成して、該透明板取付け枠に前記透明板を上方から挿入および取出し可能にして、前記窓枠部材が閉じたとき、前記透明板の上方向への移動を前記突起部により規制し、前記透明板を前記枠体に対して固定するようにしたことを特徴とするものである。
【００１１】
この構成では、窓枠部材が閉じたとき、透明板の上方向への移動が枠体側の突起部によって規制され、窓枠部材側に透明板取付け枠の開放部を閉じる閉蓋部材を別設することなく、透明板が枠体に対して固定できることになる。また、窓枠部材が開放されたときには、透明板取付け枠の四方のうち一方が開放されることから、透明板を着脱する作業が非常に容易になる。
【００１２】
上記遊技機においては、前記窓枠部材に前記開口窓の周辺に位置する電飾表示部を設けるとともに、前記電飾表示部の裏面側に位置する複数の発光素子を有し該発光素子により前記電飾表示部の表示を行うよう前記窓枠部材に支持された電飾表示基板と、前記窓枠部材に支持され、前記電飾表示基板と前記透明板との間で前記電飾表示基板の裏面を被蔽する電気絶縁性のカバー部材とを、それぞれ設けて、該カバー部材により前記透明板取付け枠の一部を構成するよう両者を一体的に連結したものであるのが好ましい。このような構成においては、電飾表示基板の裏面をおおう電気絶縁性のカバー部材が、透明板取付け枠の一部ともなっていることから、部品点数が削減され、構成の簡素化が図られる。しかも、絶縁性のカバー部材は一定の面積を有して窓枠部材の裏面に取り付けられることから，透明板取付け枠の剛性を高めるとともに、窓枠部材の所要の剛性をも確保でき、さらに、透明板を取付け枠に嵌め込む際のガイド機能をカバー部材に持たせることができ、取付け作業の容易化を図ることができる。
【００１３】
また、前記電飾表示基板が複数の分割基板からなり、該複数の分割基板が、前記窓枠部材の開口窓の周りに該周方向に離間する複数の発光素子ブロックを形成するとともに互いに電気接続されているのがよい。そのようにすると、電飾表示基板を半製品として組み立てる際の作業が容易になるとともに、その取り扱いも容易化される。
【００１４】
また、前記窓枠部材が閉じるときに前記枠体に接近し前記窓枠部材が開いたときに前記枠体から離隔するよう前記窓枠部材に支持され、該窓枠部材の開閉状態を検出する窓開閉検出センサを設けることにより、このセンサが正面側からは視認し難くなるとともに、窓枠部材の回動を利用して窓枠部材の開閉を確実に検出することができる。
【００１５】
さらに、前記窓枠部材の下方に、遊技の結果に応じて払い出された遊技球を受け入れる球受け皿を備え、前記窓枠部材の下辺部に、該窓枠部材の正面側から裏面側に向かって下方に下がるように傾斜した傾斜面を形成すると、遊技球の球受け皿への出し入れが容易になる。
【００１６】
【発明の実施の形態】
以下、本発明の好ましい実施形態を図面に基づいて説明する。
【００１７】
図１は本発明の一実施形態に係る遊技機を示す図であり、本発明をパチンコ機に適用した例を示している。
【００１８】
図１〜図３に示すように、この実施形態の遊技機１０は、遊技盤１３が装着された枠体１１と、遊技盤１３の正面側にこの遊技盤１３の盤面１３ａ（遊技領域）に対応する開口窓１２ａを形成する開閉扉状の窓枠部材１２と、を備えている。
【００１９】
枠体１１は、詳細を図示していないが、図１中の左端側でヒンジ機構１１５Ａ，１１５Ｂを介して裏側機構枠１００に開閉可能に支持されており、通常は閉じている。窓枠部材１２は、枠体１１に対し前後の開閉ができるよう後述するヒンジ機構１４０（図7参照）を介して枠体１１に開閉可能に支持されている。また、窓枠部材１２の下方には上側球受け皿１５が設けられており、この上側球受け皿１５は図１中の左端側で図示しないヒンジ機構を介して枠体１１に開閉可能に支持されている。さらに、上側球受け皿１５の下方側には、下側球受け皿１６と、遊技者によって回動操作される操作ハンドル１７とが、それぞれ設けられており、後述する球抜き操作によって上側球受け皿１５から下側球受け皿１６に遊技球が流下・排出できるようになっている。
【００２０】
この遊技機１０においては、側方に隣接配置された球貸し機１のカード挿入口１ａに所定のプリペイドカードが挿入され（勿論、現金投入でもよい）、上側球受け皿１５の正面に設けられた貸出しボタン１５１が操作されたとき、貸し球が上側球受け皿１５に貸し出され、遊技者によるハンドル１７の操作量に応じて、上側球受け皿１５の裏側で図示しない発射装置が作動し、遊技領域内に遊技球を発射する。そして、例えば遊技盤１３に設けられた複数の始動入賞口２３、一般入賞口２４Ａ，２４Ｂ，２５Ａ，２５Ｂ，大入賞口２６のうちいずれかに遊技球が入ると、払出し口２９から上側球受け皿１５への遊技球の払出しが行われる。また、遊技球が通過ゲート２７を通過すると、普通図柄表示用ＬＥＤ６０ａ、６０ｂの２色交互点灯による普通図柄変動表示を実行する普通図柄表示装置６０が作動し、その変動が所定の停止態様で停止すれば始動入賞口２３のチューリップが開く。また、この始動入賞口２３に遊技球が入賞すると、図柄表示装置７０で特別図柄の変動表示ゲームが実行され、その結果（停止態様）に応じて大入賞口２６の開閉扉が前後方向に開閉し、最大開口幅の入賞口を形成するようになっている。
【００２１】
なお、前記プリペイドカードのクレジット数は、クレジット表示部１５３に表示される。また、図３中の１５２は、プリペイドカードの返却（排出）を指示する返却ボタンで、遊技者によってこの返却ボタン１５２が操作されると、球貸し機１に挿入されたプリペイドカードが前方側（遊技者側）に排出される。１８は、上側球受け皿１５の底部に設けられた球抜穴を開閉操作するための球抜操作レバーで、図示しない付勢ばね等によって上側球受け皿１５に対し図中右側に付勢されている。この球抜操作レバー１８は、遊技者により図中左側に操作されたとき、前記付勢ばね等に抗して前記球抜穴を開放できるようになっている。１９は灰皿である。
【００２２】
一方、窓枠部材１２は、その開口窓１２ａの周辺に位置する電飾表示部１２１を有しており、この電飾表示部１２１の正面部は開口窓１２ａを取り囲んで配置された複数の円弧状の装飾表示用レンズ１２２で構成されている。
【００２３】
図４〜図６に示すように、電飾表示部１２１の裏面側には電飾表示基板４０が設けられており、この電飾表示基板４０は、電飾表示部１２１の裏側に位置する複数の発光素子４１と、これら発光素子４１によって電飾表示部１２１の表示駆動を行うよう窓枠部材１２に支持された基板部４２とを具備している。この電飾表示基板４０の基板部４２は、左右及び上下に分割された複数の分割基板４２ａ，４２ｂ，４２ｃ，４２ｄ，４２ｅ，４２ｆ，４２ｇ，４２ｈからなり、これら複数の分割基板４２ａ〜４２ｄが、窓枠部材１２の開口窓１２ａの周りにその周方向に離間する複数の発光素子ブロックを各分割基板ごとに形成するとともに、両端にコネクタ端子を有するコネクタ付き配線４６ａ，４６ｂ，４６ｃ，４６ｄ、４７ａ，４７ｂ，４７ｃ，４７ｄを介して、互いに電気的に接続されている。
【００２４】
また、窓枠部材１２の裏面側には、さらに、電飾表示基板４０裏面側を被蔽する所定形状の電気絶縁性のカバー部材５０が設けられており、このカバー部材５０には、窓枠部材１２と遊技盤１３の間で窓枠部材１２の開口窓１２ａを塞ぐ２枚の透明板２１、２２が、透明板取付け枠３０を介して二重に取り付けられている。
【００２５】
透明板取付け枠３０は全体として上側が開いたコの字形に形成されており、その状態で電気絶縁性のカバー部材５０を貫通するねじ部材（図示していない）により窓枠部材１２にねじ固定され、カバー部材５０と一体に連結されている。なお、窓枠部材１２には図９に示すねじ固定用の突起部１２ｈのような複数の突起部が設けられており、透明板取付け枠３０が複数箇所でこれら突起部に固定されている。また、電気絶縁性のカバー部材５０は、窓枠部材１２に支持され、電飾表示基板４０と透明板２１，２２との間で電飾表示基板４０の裏面側を被蔽する開口付き平板形状になっている。
【００２６】
透明板取付け枠３０は、より具体的には、図８〜図１２に示すように、後方側の透明板２２の両側面を案内する左右ガイド面３１ａ，３１ｂと、透明板２１，２２の下面を支持する支持面３２と、前方（正面）側の透明板２１の裏面を案内する第１案内面３３と、後方側の透明板２２の正面および裏面をそれぞれ案内する第２案内面３４および第３案内面３５と、を有している。そして、この透明板取付け枠３０は、透明板２２の左右両側部および下部をそれぞれ所定深さｄの範囲で案内保持することができ、全体として上側が開いたコの字形に形成されることで、透明板２２を上方から挿入および取出しできるようになっている。
【００２７】
また、図８、９及び図４に示すように、電気絶縁性のカバー部材５０の中央部の開口５１の左右両側には、透明板２１の左右両側面を上下方向にのみ移動可能に案内するリブ状の左右ガイド部５２，５３が設けられている。そして、これら左右ガイド部５２，５３の間で、カバー部材５０の板面部５０ａが透明板２１の前面周辺を部分的にガイドするようになっている。すなわち、電気絶縁性のカバー部材５０は、透明板取付け枠３０の第１案内面３３と協働して透明板２１をガイドするものであり、絶縁カバーのみとしてでなく、透明板取付け枠の一部としても機能するようになっている。二重窓を構成する透明板２１、２２は、このように電気絶縁性のカバー部材５０および透明板取付け枠３０によって着脱可能に案内および支持されている。
【００２８】
ところで、窓枠部材１２の上部左端側には、図７に示すように、窓枠部材１２を枠体１１に対し前後の開閉方向に回動できるよう支持するヒンジ機構１４０が設けられており、窓枠部材１２の下部左端側には、図８および図１０に示すように、透明板取付け枠３０の一部を利用したヒンジ機構１４５が設けられている。
【００２９】
ヒンジ機構１４０は、枠体１１の正面に突出して設けられたボス状の支持部１１２と、窓枠部材１２の上壁部１２ｂを貫通してこの支持部１１２に嵌入されたＬ字形のヒンジピン１４２と、このヒンジピン１４２を上方に付勢するよう窓枠部材１２とヒンジピン１４２の間に所定張力をもって介装された引張りばね１４３と、窓枠部材１２にねじ固定された係止部材１４４とから構成されており、係止部材１４４は、ヒンジピン１４２の上方への移動を所定高さ位置で規制するとともに、引張りばね１４３の係止部としても機能するようになっている。
【００３０】
また、ヒンジ機構１４５は、透明板取付け枠３０の一部を側方に突出させたヒンジアーム部３７と、そのヒンジアーム部３７のピン穴３７ａに係合するよう枠体１１側に立設されたヒンジピン１１３および座面部１１４とから構成されている。透明板取付け枠３０のヒンジ３７側の内側面３０ｃはカバー部材５０の左ガイド部５２に当接しており、これにより透明板取付け枠３０とカバー部材５０の左右方向の位置と傾きを相対的に規定し、透明板２１の左右ガイド面と透明板２２の左右ガイド面との平行を保つようになっている。
【００３１】
さらに、窓枠部材１２の下辺部１２３には、この窓枠部材１２の正面側から裏面側に向かって下方に下がるように傾斜した面取り状の傾斜面１２３ａが形成されており、遊技球の上側球受け皿１５への出し入れが容易にできるようになっている。
【００３２】
一方、枠体１１には、透明板２１，２２の上部に近接するよう正面側に突出したひさし状の突起部１１１が設けられており、窓枠部材１２が閉じたとき、透明板２１，２２の上方向への移動をその突起部１１１により規制して、透明板２１，２２を外部から動かすことができないよう枠体１１に対して固定できるようになっている。なお、図１０において、突起部１１１、ヒンジピン１１３および座面部１１４はそれぞれ模式的に図示しているが、その枠体１１側への取付け構造や突起の左右幅、ヒンジピンおよび座面の形状等が任意であることはいうまでもない。
【００３３】
また、窓枠部材１２の裏面側には、例えば機械式スイッチからなる窓開閉検出センサ８１が取り付けられている。この窓開閉検出センサ８１は、窓枠部材１２が閉じるときに枠体１１の正面上部１１ｄに当接してＯＮとなり、窓枠部材１２が開いたときには枠体１１から離隔してＯＦＦとなるようになっており、このＯＮ／ＯＦＦの変化によって窓枠部材１２の開閉状態を検出することができるようになっている。この窓開閉検出センサ８１は、遊技盤１３上の始動入賞口２３や普通図柄表示装置６０および特別図柄表示装置７０を制御する図外の遊技制御基板に接続されており、この遊技制御基板によって遊技機１０の動作が制御される。
【００３４】
なお、図１において、１２２ｆは、図示しない球補給ノズルが上側球受け皿１５上に配置されるときのための逃げ形状として装飾表示用レンズ１２２に形成した正面が平坦逃げ部であり、１３１は、鍵操作により窓枠部材１２および枠体１１を閉じた状態でロックしたりそのロックを解除したりできるロック機構であり、１２２ｇはそのロック機構１３１の取り付け部材の一部を突出させて装飾表示用レンズ１２２の湾曲面の一部を形成する嵌め込み部である。
【００３５】
上述のように構成された本実施形態の遊技機１０においては、電飾表示基板４０の裏面を覆う電気絶縁性のカバー部材５０が、透明板取付け枠３０と協働して透明板２１，２２を案内し、透明板取付け枠の一部として機能する。したがって、透明板２１，２２の取り付けのための部品点数が削減され、遊技領域正面の二重窓の構成の簡素化が図られることになる。
【００３６】
また、絶縁性のカバー部材５０は一定の面積を有して窓枠部材１２の裏面に取り付けられるので、透明板取付け枠３０の剛性を高めることができるとともに、窓枠部材１２の所要の剛性をも確保することができる。さらに、透明板２１，２２を取付け枠３０に嵌め込む際のガイド機能を、幅広く、面積が広いカバー部材５０に持たせることができ、取付け作業の容易化を図ることができる。
【００３７】
さらに、本実施形態の遊技機１０においては、枠体１１から透明板２１，２２の上部に近接するよう正面側に突出した突起部１１１を設ける一方、透明板取付け枠３０を上側が開いたコの字形に形成して、透明板取付け枠３０に透明板２１，２２を上方から挿入および取出し可能にしているので、窓枠部材１２が閉じたとき、透明板２１，２２の上方向への移動が枠体１１側の突起部１１１によって規制され、窓枠部材１２側に透明板取付け枠３０の開放部を閉じる閉蓋部材を別設することなく、透明板２１，２２が枠体１１に対して固定できることになる。また、窓枠部材１２が開放されたときには、透明板取付け枠３０の四方のうち一方が開放されることから、透明板２１，２２を着脱する作業が非常に容易になる。
【００３８】
また、電飾表示基板４０が複数の分割基板４２ａ〜４２ｈからなり、これら複数の分割基板４２ａ〜４２ｈが、窓枠部材１２の開口窓１２ａの周りで互いに電気接続されているので、電飾表示基板４０を半製品として組み立てる際の作業が容易であるとともに、その取り扱いが容易である。
【００３９】
さらに、窓枠部材１２が閉じるときに枠体１１に接近し、窓枠部材１２が開くときに枠体１１から離隔するよう、窓開閉検出センサ８１が窓枠部材１２に支持され、この窓枠部材１２の開閉状態を検出するようになっているので、窓開閉検出センサ８１が正面側からは視認し難くなり、不正行為等による窓開放を確実に検知できる。しかも、窓枠部材１２の回動を利用して窓枠部材１２の開閉を確実に検出することができる。
【００４０】
それに加えて、窓枠部材１２の下辺部１２３に面取り状の傾斜面１２３ａが形成されているので、遊技球の上側球受け皿１５への出し入れが容易にできる。
【００４１】
なお、上述の実施形態においては絶縁性のカバー部材５０を透明板取付け枠の一部として構成し、これを透明板取付け枠３０と共に使用する構成となっていたが、絶縁性カバー部材５０の透明板取付け枠としての機能を適宜拡大するようそのガイド部５２，５３の他のガイド部や、透明板の周辺部の保持が可能な取付け部を設けることもできる。また、球補給のために球補給ノズルが上側球受け皿１５上に配置されるとき、平坦逃げ部１２２ｆによって遊技機１０側との衝突が回避でき、ロック機構１３１の取り付け部材の一部を正面側に突出させて嵌め込み部１２２ｇとし、装飾表示用レンズ１２２の湾曲面の一部を形成しているので、デザインを損なうことなく機能確保ができる。
【００４２】
電飾表示部を有する開閉扉状の窓枠構造を備えた遊技機であれば、パチンコ機に限らず、本発明を適用することができることはいうまでもない。
【００４３】
【発明の効果】
本発明によれば、枠体から透明板の上部に近接するよう正面側に突出した突起部を設ける一方、透明板取付け枠を上側が開いたコの字形に形成して、透明板取付け枠に透明板を上方から挿入および取出し可能にしているので、窓枠部材が閉じたとき、透明板の上方向への移動が枠体側の突起部によって規制され、窓枠部材側に透明板取付け枠の開放部を閉じる閉蓋部材を別設することなく、透明板が枠体に対して固定できることになる。また、窓枠部材が開放されたときには、透明板取付け枠の四方のうち一方が開放されることから、透明板を着脱する作業が非常に容易にできる。
【図面の簡単な説明】
【図１】本発明の一実施形態に係る遊技機の外観斜視図である。
【図２】一実施形態の遊技機の遊技盤の正面図である。
【図３】一実施形態の遊技機の正面図である。
【図４】一実施形態の遊技機における正面窓の平面断面図である。
【図５】一実施形態の遊技機における電飾表示基板を示す窓枠部材の背面図である。
【図６】一実施形態の遊技機における絶縁性カバー部材および透明板取付け部材を示す正面窓の背面図である。
【図７】一実施形態の遊技機における窓枠部材の上側ヒンジ構造を示すその部分正面断面図である。
【図８】一実施形態の遊技機における透明板取付け部材の上面図である。
【図９】図８に示した透明板取付け部材の部分拡大図である。
【図１０】一実施形態の遊技機における透明板取付け部材の側面図である。
【図１１】一実施形態の遊技機における透明板取付け部材の高さ方向中間部における平面断面図である。
【図１２】一実施形態の遊技機における透明板取付け部材の部分断面図で、（ａ）はその下部側端の正面断面図、（ｂ）はその上部中央の側面断面図である。
【図１３】一実施形態の遊技機における窓開閉検知センサの取付け状態を示すその開扉時の平面図である。
【符号の説明】
１０    遊技機
１１    枠体
１２    窓枠部材
１２ａ    開口窓
１２ｂ    上壁部
１３    遊技盤
２１，２２    透明板
３０    透明板取付け枠
３０ｃ    内側面
３１ａ，３１ｂ    左右ガイド面
３２    支持面
３３    第１案内面
３４    第２案内面
３５    第３案内面
３７    ヒンジアーム部
４０    電飾表示基板
４１    発光素子
４２    基板部
４２ａ〜４２ｈ    分割基板
４６ａ〜４６ｄ    配線
５０    カバー部材（電気絶縁性のカバー部材）
５０ａ    板面部
５１    開口
５２，５３    ガイド部
８１    窓開閉検出センサ
１１１    突起部
１１５Ａ，１１５Ｂ    ヒンジ機構
１２１    電飾表示部
１２２    装飾表示用レンズ
１２３    下辺部
１２３ａ    傾斜面
１４０、１４５    ヒンジ機構
【図１】
0004440410.tif 000002
【図２】
0004440410.tif 000003
【図３】
0004440410.tif 000004
【図４】
0004440410.tif 000005
【図５】
0004440410.tif 000006
【図６】
0004440410.tif 000007
【図７】
0004440410.tif 000008
【図８】
0004440410.tif 000009
【図９】
0004440410.tif 000010
【図１０】
0004440410.tif 000011
【図１１】
0004440410.tif 000012
【図１２】
0004440410.tif 000013
【図１３】
0004440410.tif 000014